(57)【要約】【課題】記録媒体を保持したバッテリ装置を電子機器のバッテリ収納部から挿抜する際の作業性を改善する。【解決手段】バッテリ装置は、電子機器に装着可能なバッテリ装置であって、記録媒体を着脱自在に保持する記録媒体保持部と、前記電子機器に電力を供給するための電源接続用端子と、を備え、前記記録媒体保持部は、前記バッテリ装置を前記電子機器に挿抜する方向と、前記記録媒体保持部に前記記録媒体を挿抜する方向とが互いに交差するように形成される。【選択図】図１
2011060736.tif 000002
【特許請求の範囲】
【請求項１】
電子機器に装着可能なバッテリ装置であって、
記録媒体を着脱自在に保持する記録媒体保持部と、
前記電子機器に電力を供給するための電源接続用端子と、を備え、
前記記録媒体保持部は、前記バッテリ装置を前記電子機器に挿抜する方向と、前記記録媒体保持部に前記記録媒体を挿抜する方向とが互いに交差するように形成されることを特徴とするバッテリ装置。
【請求項２】
電子機器に装着可能なバッテリ装置であって、
記録媒体を着脱自在に保持する記録媒体保持部と、
前記電子機器に電力を供給するための電源接続用端子と、を備え、
前記記録媒体保持部は、前記バッテリ装置を前記電子機器に挿抜する方向と、前記記録媒体保持部に前記記録媒体を挿抜する方向とが同じ方向になるように形成され、前記記録媒体が前記記録媒体保持部に保持された状態で、前記バッテリ装置が前記電子機器から抜去される方向と反対方向の力が前記記録媒体に加わったとしても、前記記録媒体を前記記録媒体保持部に保持するロック部を備えることを特徴とするバッテリ装置。
【請求項３】
前記記録媒体は、前記電子機器に設けられたコネクタと接続して前記電子機器との間でデータ通信を行うためのデータ通信用端子を備え、
前記記録媒体保持部における前記バッテリ装置を前記電子機器に挿入する際に前面となる部分には、前記記録媒体が前記記録媒体保持部に保持された状態で、前記記録媒体の前記データ通信用端子が設けられた面より低くなるように切り欠いた部位が形成されていることを特徴とする請求項１又は２に記載のバッテリ装置。
【請求項４】
前記記録媒体は、前記電子機器との間でデータ通信を行うためのデータ通信用端子を備え、
前記記録媒体保持部は、前記記録媒体が前記記録媒体保持部に保持された状態で、前記記録媒体の前記データ通信用端子が設けられた面が、前記バッテリ装置の外表面より低くなるように凹状に形成されていることを特徴とする請求項１又は２に記載のバッテリ装置。
【請求項５】
前記記録媒体保持部は、前記記録媒体が前記記録媒体保持部に保持された状態で、前記記録媒体の前記データ通信用端子が前記バッテリ装置の電源接続用端子が形成される側面の近くに位置するように、設けられていることを特徴とする請求項３又は４に記載のバッテリ装置。
【請求項６】
前記バッテリ装置の前記記録媒体保持部が設けられる面には、前記バッテリ装置を前記電子機器に挿入する方向に延び、前記バッテリ装置を前記電子機器に挿入する際に当該電子機器に係合し、前記バッテリの挿入方向と直交する方向への位置決めを行うガイドが形成されることを特徴とする請求項１又は２に記載のバッテリ装置。
【請求項７】
前記記録媒体が前記ロック部を乗り越えるのに必要な挿抜力が、前記電子機器に設けられたコネクタが前記データ通信用端子に加える接触圧力による摩擦力より大きくなるように設定されていることを特徴とする請求項３又は４に記載のバッテリ装置。
【発明の詳細な説明】
【技術分野】
【０００１】
本発明は、記録媒体を着脱可能に保持するバッテリ装置に関する。
【背景技術】
【０００２】
従来のデジタルカメラや携帯電話等の電子機器では、バッテリ装置にメモリカードを着脱自在に保持する保持部を設け、バッテリ装置にメモリカードを保持した状態でバッテリ装置ごと電子機器に挿抜できるものがある（例えば、特許文献１参照）。ここで、図７を参照して従来のバッテリ装置の構成について説明する。図７において、記録媒体７６はデジタルカメラ７１により撮影されたデジタル画像データを記録する。また、記録媒体７６の外表面には、デジタルカメラ７１との間でデータ通信を行うデータ通信用端子７５が設けられている。バッテリ装置７２には、その外表面に記録媒体７６を着脱可能に保持する凹状の記録媒体保持部が設けられている。また、バッテリ装置７２の外表面には、デジタルカメラ７１に電力を供給する電源接続用端子７３が設けられている。記録媒体７６がバッテリ装置７２に保持された状態で、記録媒体７６のデータ通信用端子７５が外部に露出しているので、バッテリ装置７２をデジタルカメラ７１に装着するだけでデータ通信用端子７５とカメラ側コネクタとが接続されてデータ通信が可能となる。
【先行技術文献】
【特許文献】
【０００３】
【特許文献１】特開２００４−２１３９２５号公報
【発明の概要】
【発明が解決しようとする課題】
【０００４】
従来は、図７に示したように、バッテリ装置７２の凹部に記録媒体７６が何ら脱落防止がなされることなく置かれているだけである。そのため、記録媒体７６を保持したバッテリ装置７２をデジタルカメラ７１に装着する際には、バッテリ装置７２から記録媒体７６が脱落しないように、バッテリ装置７２の記録媒体保持部側を上に向ける等の工夫が必要であり、作業性が良くない。また、バッテリ装置７２をデジタルカメラ７１から抜去する際、バッテリ収納部内部に脱落防止機構がないため、記録媒体７６のみがバッテリ収納部内部に脱落し、記録媒体７６がバッテリ収納部内部に残ってしまうおそれがある。
【０００５】
本発明は、上記課題に鑑みてなされ、記録媒体を保持したバッテリ装置をバッテリ収納部から挿抜する際にバッテリ装置から記録媒体が脱落することなく、作業性を改善するバッテリ装置の提供を目的としている。
【課題を解決するための手段】
【０００６】
上記課題を解決するために、本発明のバッテリ装置は、電子機器に装着可能なバッテリ装置であって、記録媒体を着脱自在に保持する記録媒体保持部と、前記電子機器に電力を供給するための電源接続用端子と、を備え、前記記録媒体保持部は、前記バッテリ装置を前記電子機器に挿抜する方向と、前記記録媒体保持部に前記記録媒体を挿抜する方向とが互いに交差するように形成される。
【発明の効果】
【０００７】
本発明によれば、記録媒体を保持したバッテリ装置を電子機器のバッテリ収納部から挿抜する際にバッテリ装置から記録媒体が脱落することがないため、作業性を改善することができる。
【図面の簡単な説明】
【０００８】
【図１】本発明に係る実施形態１のデジタルカメラの斜視図であって、カメラ内部を透視し蓋体を開けた状態を示す図である。
【図２】本発明に係る実施形態１のバッテリ装置の斜視図であって、記録媒体を挿抜する状態を示す図である。
【図３】実施形態１のバッテリ装置と記録媒体との接続状態を示す斜視図である。
【図４】蓋体を閉じた状態の図１のＡ−Ａ断面図である。
【図５】本発明に係る実施形態２のバッテリ装置の斜視図であって、記録媒体を装着した状態を示す図である。
【図６】記録媒体を取り外した状態の図５のＢ部の拡大図である。
【図７】従来のバッテリ装置による記録媒体の保持構造と、デジタルカメラによるバッテリ装置の保持構造を示す斜視図である。
【発明を実施するための形態】
【０００９】
以下に、添付図面を参照して本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１０】
［実施形態１］図１乃至図３を参照して、実施形態１の電子機器及び電子機器に装着可能なバッテリ装置について説明する。図１において、電子機器としてのデジタルカメラ（以下、カメラ）１前面には、被写体像をカメラ１内部に取り込むためのレンズ鏡筒２やストロボ装置３が設けられている。レンズ鏡筒２を通過した被写体像はＣＣＤ等の撮像素子の受光面上に結像し、結像した被写体の光量に応じた電荷が蓄積される。撮像素子から出力されたアナログ信号は信号処理部においてＲ，Ｇ，Ｂ成分に分解され、ホワイトバランス調整やガンマ補正を行い、必要なタイミングでＲ，Ｇ，Ｂの各信号成分を順次Ａ／Ｄ変換して得られたデジタル画像データを制御部に出力する。また、ストロボ装置３は被写体の光量が不足したときに補助光を発光する。カメラ１上面には、レリーズボタン４とパワーボタン５が設けられている。レリーズボタン４は半押しと全押しの二段階押し込み構造になっている。半押しで、ＡＦ（オートフォーカス）及びＡＥ（自動露出補正）をロックし、全押しで画像の撮影及び記録が行われる。パワーボタン５はユーザがカメラ１の電源ＯＮ／ＯＦＦを操作するために設けられている。
【００１１】
カメラ１背面には、撮像された画像を逐次表示するライブビューの画像や記録媒体６に保存した画像データ等を表示する液晶パネル７や操作ボタン８が設けられている。カメラ１底面には、バッテリ収納部９を開閉可能としバッテリ装置１０を保持するための蓋体１１が回動自在に支持されている。蓋体１１はバッテリ装置１０の挿入、抜去の作業性を向上させるため、閉状態から約１２０度回転した位置まで開動作できる。
【００１２】
図２及び図３において、バッテリ装置１０には、バッテリ装置１０の挿入方向Ｄｂの前側端面にカメラ１に電力を供給するための複数（３個）の電源接続用端子１２が配列されている。電源接続用端子１２はプラス端子とマイナス端子とバッテリ装置１０の温度情報を出力するサーミスタ端子とを備える。カメラ１のバッテリ収納部９に設けられた機器側の電源接続用コネクタ１３には、弾性変形可能な接続端子１４が複数配列され、カメラ１内部の回路基板に接続される。バッテリ装置１０がバッテリ収納部９に挿入されると、電源接続用コネクタ１３と電源接続用端子１２とが接触し、カメラ１内部の電気回路に電力が供給される。
【００１３】
記録媒体６はｍｉｃｒｏＳＤ（登録商標）カードその他の小型メモリカードである。記録媒体６には、カメラ本体との間でデータ通信を行うためのデータ通信用端子１５が複数配列されている。バッテリ装置１０上面にはデータ通信用端子１５を上面に向けて記録媒体６を着脱自在に保持するための凹状の記録媒体保持部が形成されている。カメラ１へのバッテリ挿抜方向Ｄｂと直交する方向Ｄｍに沿って、バッテリ装置１０に記録媒体６をスライドして挿抜するための記録媒体ガイド溝１６が形成されている。また、バッテリ装置１０に記録媒体６を完全に挿入した状態で、記録媒体側に突出して脱落を防止する記録媒体ロック部１７が設けられている。なお、本実施形態では、カメラ１にバッテリ装置１０を挿抜する方向Ｄｂと、バッテリ装置１０に記録媒体６を挿抜する方向が直交している例を示しているが、必ずしも直交である必要はなく、２つの挿抜方向が互いに交差していれば、同等の効果を奏する。
【００１４】
バッテリ収納部９に設けられたカメラ１側の通信接続用コネクタ１８には、弾性変形可能な接続端子１９が複数配列され、カメラ１内部の回路基板に接続されている。記録媒体６を保持するバッテリ装置１０がバッテリ収納部９に挿入されると、通信接続用コネクタ１８とデータ通信用端子１５とが接触し、カメラ１内部の電気回路とのデータ通信を行う。上記構成により、バッテリ装置１０に対して記録媒体６を挿抜する方向がカメラ１に対するバッテリ装置１０を挿抜方向とが互いに直交する関係になる。したがって、記録媒体６を保持したバッテリ装置１０をバッテリ収納部９から抜去する際に、記録媒体６が脱落しバッテリ収納部内部に残ってしまうことを防止できる。
【００１５】
また、記録媒体保持部におけるバッテリ挿入方向Ｄｂの前面には、記録媒体６が完全に挿入された位置で、記録媒体６のデータ通信用端子１５が設けられた面より低くなるように切り欠いた部位２０が形成されている。このため、バッテリ装置１０をバッテリ収納部９に挿入する際に、通信接続用コネクタ１８がデータ通信用端子１５に相対的に近づく過程において、変形しやすい通信接続用コネクタ１８の接続端子１９の破損を防止することができる。
【００１６】
記録媒体６をバッテリ装置１０に完全に挿入した位置では、記録媒体６がバッテリ装置１０の外表面より低い位置に保持される。このため、記録媒体６をバッテリ装置１０に挿入した状態で、バッテリ収納部９にバッテリ装置１０を挿抜しても、記録媒体６とバッテリ収納部９の内壁が接触することがなく、記録媒体６の破損を防止することができる。また、バッテリ装置１０は充放電を繰り返すことで、その外形が膨張等する経年変化が発生する。バッテリ装置１０が経年変化によって、その外形が膨張する場合には、図２においてバッテリ装置１０の上面および下面となっている面の中央部分がもっとも膨張変形する。そこで、本実施形態では、記録媒体６がバッテリ装置１０の電源接続用端子１２が形成される側面の近くに位置するよう記録媒体保持部を形成している。こうすることで、記録媒体６のデータ通信用端子１５と通信接続用コネクタ１８の接触圧力に対するバッテリ装置１０外形の経年変化の影響を小さくすることができる。
【００１７】
通信接続用コネクタ１８には、バッテリ挿入方向Ｄｂに延びるガイドリブ２１が形成されている。バッテリ装置１０には、記録媒体保持部と同一面にスリット２２が形成され、バッテリ収納部９にバッテリ装置１０を挿入する際に、上記ガイドリブ２１とスリット２２とが係合する。スリット２２におけるガイドリブ２１が導入される部分にガイドリブ２１をスムーズに案内するための拡大する斜面部２３を形成することで、上記ガイドリブ２１をスリット２２に係合させる際の引っ掛かり感をなくしている。
【００１８】
記録媒体６のデータ通信用端子１５の配列方向Ｄｐのピッチが、バッテリ装置１０の電源接続用端子１２より小さいため、通信接続用コネクタ１８とデータ通信用端子１５の配列方向Ｄｐの相対位置が従来より高い精度で求められる。そこで、上記スリット２２をガイドリブ２１に係合させることで、バッテリ収納部９とバッテリ装置１０の配列方向Ｄｐへの位置決めを行うので相対位置精度が向上する。また、カメラ１とバッテリ装置１０の各部材の外形や組立寸法にバラツキが発生した場合であっても通信接続用コネクタ１８とデータ通信用端子１５の接続不良を防止することができる。
【００１９】
図４は、カメラ１の蓋体１１を閉じた状態の図１のＡ−Ａ断面図であり、バッテリ収納部９の通信接続用コネクタ１８に対向する位置に斜面部２４が形成されている。カメラ１の蓋体１１を閉じた状態では、バッテリ装置１０に加わるバッテリ挿入方向Ｄｂの押圧力Ｐにより、バッテリ装置１０が上記斜面部２４に当接し変位する。この押圧力Ｐは、バッテリ装置１０の当接部２５においてＰｘとＰｙに分力され、押圧力Ｐｙは、通信接続用コネクタ１８のデータ通信用端子１５に対する接触圧力を高める方向であるため、通信接続用コネクタ１８の接続状態に関する信頼性が向上する。
【００２０】
［実施形態２］次に、図５及び図６を参照して、実施形態２のバッテリ装置について説明する。なお、カメラ１の構造は実施形態１と同一である。図５，６において実施形態１と同一の構成には同一の符号を付して示している。本実施形態のバッテリ装置１０は、バッテリ挿入方向Ｄｂと同じ方向に、バッテリ装置１０に記録媒体６をスライドして挿入するための記録媒体ガイド溝２６が形成されている。また、バッテリ装置１０に記録媒体６を完全に挿入した状態で記録媒体側に突出して脱落を防止する記録媒体ロック部２７が設けられている。上記ガイド溝２６に沿って記録媒体６が記録媒体ロック部２７を乗り越えるのに必要な挿抜力が、通信接続用コネクタ１８のデータ通信用端子１５に対する接触圧力による摩擦力より大きくなるように設定されている。これにより、記録媒体６を保持するバッテリ装置１０をバッテリ収納部９から抜去する際に、通信接続用コネクタ１８とデータ通信用端子１５との摩擦力に抗して記録媒体６がガイド溝２６に沿ってスライドしても、記録媒体ロック部２７を乗り越えることがない。すなわち、記録媒体ロック部２７は、バッテリ装置１０がカメラ１から抜去される方向と反対方向の力が記録媒体６に加わったとしても、記録媒体６を記録媒体保持部に保持する。よって、バッテリ装置１０から記録媒体６が脱落することはなく、バッテリ収納部９内に記録媒体６が残ってしてしまうことを防止することができ、ユーザの操作性を向上することができる。
【図１】
2011060736.tif 000003
【図２】
2011060736.tif 000004
【図３】
2011060736.tif 000005
【図４】
2011060736.tif 000006
【図５】
2011060736.tif 000007
【図６】
2011060736.tif 000008
【図７】
2011060736.tif 000009